(57)【要約】【課題】部品点数が少なく、製作コストが安く、被覆電線の直線状の配索部分を保護する作業が容易かつ短時間に行えて、車体側に設けられたスタッドボルトに強制嵌合状態に係止することができるプロテクタおよびこれを備えたワイヤハーネスを提供すること。【解決手段】ワイヤハーネス１は、樹脂製の中空板材よりなり２つの直線状切断線１３より区画された底面部１１と２つの側面部１２とを有し、底面部１１上に載置される被覆電線２に被されたコルゲートチューブ３を保護するプロテクタ１０を備え、２つの側面部１２は、長さ方向の両側部分が、底面部１１からの立ち上り高さが長さ方向の中央部分１６よりも小さく設定され、コルゲートチューブ３を挿通させる三角筒部分１５を形成し、三角筒部分にテープ固定部４が設けられ、計４つの円孔１７が、車体側に設けられるスタッドボルトに強制嵌合される。【選択図】図１
2017131084.tif 000002
【特許請求の範囲】
【請求項１】
一端から他端まで直線状に貫通しかつ一平面に並ぶ複数の貫通孔が一平面に並ぶように成形された樹脂製の中空板材が所定形状に形成され、
前記中空板材の外面側の平面部に設けられた互いに平行な２つの直線状切断線より、２つの直線状切断線間に区画された底面部と、
前記底面部の両側に区画され、前記中空板材の内面側の平面部の前記各直線状切断線と対応する線より内面側に折り上げることにより形成される２つの側面部と、を有し、
前記２つの側面部は、長さ方向の両側部分が、上端縁同士が重なる際に前記底面部と協働して単数または複数の被覆電線の直線状の配索部分または前記直線状の配索部分に被されたコルゲートチューブを挿通させる三角筒部分を形成するように、前記底面部からの立ち上り高さが前記長さ方向の中央部分よりも小さく設定され、前記長さ方向の中央部分が、合掌状に重なるように前記底面部からの立ち上り高さが大きく設定され、合掌状に重なる上部に貫通するように穿たれ、車体側に設けられるスタッドボルトに強制嵌合される円孔を有する構成であることを特徴とするプロテクタ。
【請求項２】
単数または複数の被覆電線と、前記被覆電線の直線状の配索部分または前記直線状の配索部分に被されたコルゲートチューブを保護する請求項１に記載のプロテクタと、を備え、
前記プロテクタの前記底面部に、前記被覆電線の直線状の配索部分または前記直線状の配索部分に被されたコルゲートチューブが載置され、前記底面部に対して立ち上げられた２つの前記側面部の前記両側部分と前記底面部との三角筒部分に粘着テープが巻回されてなるテープ固定部を有し、２つの前記円孔が一致する状態に前記各側面部の中央部分同士が合掌状に重なる構成であることを特徴とするワイヤハーネス。
【請求項３】
前記三角筒部分に、前記被覆電線の直線状の配索部分または前記直線状の配索部分に被されたコルゲートチューブを移動不能に挿通されていることを特徴とするワイヤハーネス。
【発明の詳細な説明】
【技術分野】
【０００１】
本発明は、車両に配索される被覆電線の直線状の配索部分を保護し車体側のスタッドボルトに係止して配索位置を規制するプロテクタおよびこれを用いたワイヤハーネスに関する。
【０００２】
この種のプロテクタとして、特許文献１において従来の技術として記載された成形プロテクタは、一側面部を開いていて被覆電線の直線状の配索部分を挿通状態に収納してから一側面部を閉じる筒状成形体と、筒状成形体の後面上部に、車体側に設けられたスタッドボルトのねじ山と噛み合うボルト係止孔を有するクランプ部と、を有する。この成形プロテクタは、筒状成形体と電線束との相対固定が行われない。
【０００３】
そこで、従来は、図３に示すプロテクタが採用されている。このプロテクタ２０は、電線束２１の直線状の配索部分にコルゲートチューブ２２が被さり、さらにコルゲートチューブに巻き始め側端縁と巻き終わり側端縁とが僅かにオーバーラップした直線筒状の樹脂製のハードチューブ２３が被さり、ハードチューブ２３の一側に逆Ｔ形の樹脂製のブラケット２４が重ねられ、ブラケット２４の両端部をハードチューブ２３とともに粘着テープが巻回されたテープ固定部２５が設けられ、ブラケット２４の立ち上り部上端に設けられた貫通孔２４ａに車体側に設けられたスタッドボルトのねじ山と噛み合うボルト係止孔を有するクランプ部材２６が設けられている。
【先行技術文献】
【特許文献】
【０００４】
【特許文献１】特開平７−１４７７１７号公報
【発明の概要】
【発明が解決しようとする課題】
【０００５】
しかしながら、図３に示すプロテクタ２０は、ハードチューブ２３とブラケット２４とクランプ部材２６とを有するので、部品点数が多いから部品管理が大変になっているとともに各部品のコストが高いので、トータルコストが高いという問題があった。また、プロテクタ２０は、ハードチューブ２３とブラケット２４とを重ね粘着テープを巻回する際に、ハードチューブ２３とブラケット２４とがずれてしまうので、粘着テープを巻回する作業が面倒であった。
【０００６】
本発明は、上述した問題に鑑みてなされたもので、部品点数が少なく、製作コストが安く、被覆電線の直線状の配索部分を保護する作業が容易かつ短時間に行えて、車体側に設けられたスタッドボルトに強制嵌合状態に係止することができるプロテクタおよびこれを備えたワイヤハーネスを提供することを目的としている。
【課題を解決するための手段】
【０００７】
本発明に係るプロテクタは、上記課題を解決するため、一端から他端まで直線状に貫通しかつ一平面に並ぶ複数の貫通孔が一平面に並ぶように成形された樹脂製の中空板材が所定形状に形成され、前記中空板材の外面側の平面部に設けられた互いに平行な２つの直線状切断線より、２つの直線状切断線間に区画された底面部と、前記底面部の両側に区画され、前記中空板材の内面側の平面部の前記各直線状切断線と対応する線より内面側に折り上げることにより形成される２つの側面部と、を有し、前記２つの側面部は、長さ方向の両側部分が、上端縁同士が重なる際に前記底面部と協働して単数または複数の被覆電線の直線状の配索部分または前記直線状の配索部分に被されたコルゲートチューブを挿通させる三角筒部分を形成するように、前記底面部からの立ち上り高さが前記長さ方向の中央部分よりも小さく設定され、前記長さ方向の中央部分が、合掌状に重なるように前記底面部からの立ち上り高さが大きく設定され、合掌状に重なる上部に貫通するように穿たれ、車体側に設けられるスタッドボルトに強制嵌合される円孔を有する構成である。
【０００８】
この構成によれば、本発明に係るプロテクタは、樹脂製の中空板材を所定形状にプレス成形されたプレス成形体およびプレス成形体の組立時に用いる粘着テープが全構成資材であるので、部品点数が少なく、製作コストが安く抑えることができ、被覆電線の直線状の配索部分を保護する作業が容易かつ短時間に行えて、車体側に設けられたスタッドボルトに強制嵌合状態に係止することができる。
【０００９】
また、本発明に係るワイヤハーネスは、単数または複数の被覆電線と、前記被覆電線の直線状の配索部分または前記直線状の配索部分に被されたコルゲートチューブを保護する請求項１に記載のプロテクタと、を備え、前記プロテクタの前記底面部に、前記被覆電線の直線状の配索部分または前記直線状の配索部分に被されたコルゲートチューブが載置され、前記底面部に対して立ち上げられた２つの前記側面部の前記両側部分と前記底面部との三角筒部分に粘着テープが巻回されてなるテープ固定部を有し、２つの前記円孔が一致する状態に前記各側面部の中央部分同士が合掌状に重なる構成である。
【００１０】
この構成によれば、本発明に係るワイヤハーネスは、平面状のプロテクタについて、底面部に対し両側の２つの側面部を折り上げるとともに、単数または複数の被覆電線の直線状の配索部分を２つの側面部間に通して底面部上に相対的に載せ、２つの側面部の長さ方向の両側部分の上端縁同士を閉じ合わせ、これにより形成される三角筒部分内に単数または複数の被覆電線の直線状の配索部分を保護し、両側部分と底面部とに粘着テープを巻回してテープ固定部を設け、これにより、合掌状に閉じ合わさる長さ方向の中央部分の上部には円孔を備えたものとなる。本発明に係るワイヤハーネスは、２つの側面部のそれぞれに設けられた円孔が、中空板材の外面側面部と内面側面部との４つの面部に車体側に設けられるスタッドボルトのねじ部の谷径にほぼ等しく穿たれているから、車体側に設けられるスタッドボルトに強制嵌合される。このように、本発明に係るワイヤハーネスは、被覆電線の直線状の配索部分を保護する作業が容易かつ短時間に行えて、車体側に設けられたスタッドボルトに強制嵌合状態に係止することができる。
【００１１】
本発明に係るワイヤハーネスは、前記三角筒部分に、前記被覆電線の直線状の配索部分または前記直線状の配索部分に被されたコルゲートチューブを移動不能に挿通されている構成とするのがよい。この構成により、テープ固定部の設け方が巻き落とし形態でなくてよいので、テープ巻き付け作業が容易かつ時間が短縮される。
【発明の効果】
【００１２】
本発明によれば、部品点数が少なく、製作コストが安く、被覆電線の直線状の配索部分を保護する作業が容易かつ短時間に行えて、車体側に設けられたスタッドボルトに強制嵌合状態に係止することができるプロテクタおよびこれを備えたワイヤハーネスを提供することができる。
【図面の簡単な説明】
【００１３】
【図１】本発明の実施形態に係り、（ａ）図はワイヤハーネスを示す斜視図であり、（ｂ）図はワイヤハーネスの組立途中を示す斜視図である。
【図２】本発明の実施形態に係るワイヤハーネスを構成するためのプロテクタを示す平面図である。
【図３】従来例に係る被覆電線の直線状の配索部分を保護するプロテクタを示す斜視図である。
【発明を実施するための形態】
【００１４】
以下、本発明の実施の形態に係るプロテクタおよびワイヤハーネスについて図面を参照して説明する。
【００１５】
まず、構成を説明する。
図１（ａ），（ｂ）に示すように、本実施の形態に係るワイヤハーネス１は、被覆電線２と、被覆電線２の直線状の配索部分を挿通させてバリ等から保護するコルゲートチューブ３と、直線状のコルゲートチューブ３を保護するプロテクタ１０と、プロテクタ１０を閉じ合わせるテープ固定部４と、を備える。
【００１６】
被覆電線２は、銅線またはアルミニウム線をポリ塩化ビニル等の絶縁性を有する外装材で被覆されてなり、データ線、給電線、アース線等のいずれであってもよい。被覆電線２は、単数または複数であってもよい。被覆電線２が複数である場合には、粘着テープによりスパイラル状にオーバーラップ巻きされるか、一定距離ごとに固定巻きされていることが好ましい。コルゲートチューブ３は、配索箇所に鋭利なバリがある場合などにおいて被覆電線２を二重に保護するために、必要に応じて設けられる。プロテクタ１０は、被覆電線２の直線状の配索部分の保護と、配索経路の規制を行う。
【００１７】
図２に示すように、プロテクタ１０は、一端から他端まで直線状に貫通している複数の貫通孔を有しかつ複数の貫通孔が一平面に並ぶように成形された樹脂製の中空板材が用いられている。中空板材は、２つの平面部と、２つの平面部を一体に接続する複数の隔壁部と、２つの平面部間に隔壁部により区画され一平面に並ぶように、一端から他端に直線状に貫通している断面矩形の貫通孔と、を有する平板である。なお、中空板材は、前記の複数の隔壁部に替えて波板部であってもよい。
【００１８】
プロテクタ１０は、上記の樹脂製の中空板材に対し、プレス成形により、所定輪郭形状の付与と、２つの直線状切断線の付与と、２つの円孔１７の穿設と、を同時に処理された平面形状のプレス成形体である。
【００１９】
プロテクタ１０は、中空板材の２つの平面部のうちの、外面側となる平面部に設けられた互いに平行な２つの直線状切断線１３を有している。プロテクタ１０は、２つの直線状切断線１３間に区画された底面部１１と、底面部１１の両側に区画された２つの側面部１２と、を有している。２つの側面部１２は、中空板材を構成している２つの平面部のうちの、内面側となる平面部の各直線状切断線１３と対応する線より内面側に折り上げることにより形成される。なお、底面部１１の幅を規定する２つの直線状切断線１３の間隔は、複数の被覆電線２の合計の周囲長またはコルゲートチューブ３の外径に応じた寸法に設定される。
【００２０】
２つの側面部１２は、底面部１１に対して折り上げられた際に、長さ方向の中央部分１６の底面部１１からの立ち上り高さが、長さ方向の両側部分１４の底面部１１からの立ち上り高さよりも大きく設定されている。中央部分１６は、両側部分１４よりも２段の階段状に盛り上がった状態に形成されていて、１段目の幅寸法は、側面部１２の全幅の、例えば１／４〜１／３位であり、２段目は、円孔１７を備えていて、例えば正方形であってよく、係止時のせん断荷重に十分耐えられる寸法に設定される。中央部分１６の１段目の部分は、側面部１２の中央付近での中折れを防止する強度を与えている。なお、中央部分１６は、２段の階段状に角ばった盛り上がり形状に限定されるものではない。
【００２１】
図１（ａ），（ｂ）に示すように、２つの側面部１２の両側部分１４は、底面部１１に対して折り上げられて上端縁同士が重なる際に、底面部１１と協働し、長手方向に垂直な断面形状が縦長二等辺三角形である三角筒部分１５を形成し、三角筒部分１５に挿通させるコルゲートチューブ３を若干挟圧した状態に抱持するようになっている。両側部分１４の底面部１１からの立ち上り高さは、コルゲートチューブ３を支持することによる負荷に対し、両端部での撓みがほとんど生じない強度を有するように設定される。
【００２２】
円孔１７は、上述した中空板材を構成する２つの平面部に穿たれて貫通されているから、２つの中央部分１６には計４つ有している。円孔１７は、車体側に設けられるスタッドボルトのねじ部の谷径に対応する大きさに設けられている。
【００２３】
ワイヤハーネス１は、プロテクタ１０の底面部１１上に被覆電線２の直線状の配索部分に被さるコルゲートチューブ３が載置され、底面部１１に対して２つの側面部１２が立ち上げられ、２つの側面部１２の両側部分１４と底面部１１とにより形成される三角筒部分１５を取り巻くように粘着テープが巻回されてなるテープ固定部４が設けられ、合掌状に重なる２つの中央部分１６に設けられた計４つの円孔１７が完全に一致して車体側に設けられるスタッドボルトのねじ部の谷径に強制嵌合されるようになっている。
【００２４】
なお、テープ固定部４を設けたときに、三角筒部分１５がコルゲートチューブ３を緩く挿通させる状態になるときは、テープ固定部４は、三角筒部分１５と、コルゲートチューブ３とにかけて粘着テープを巻き落としする巻付形態に設けるのがよい。
【００２５】
次に、ワイヤハーネス１の組立手順について簡単に説明する。
図１（ａ），（ｂ）、図２に示すように、ワイヤハーネス１は、上記の所定輪郭を有する平面状のプロテクタ１０について、底面部１１に対し両側の２つの側面部１２を折り上げ、被覆電線２の直線状の配索部分に被さるコルゲートチューブ３を２つの側面部１２間に通して底面部１１上に相対的に載せ、２つの側面部１２の長さ方向の両側部分１４の上端縁同士を閉じ合わせ、これにより形成される三角筒部分１５内に単数または複数の被覆電線２の直線状の配索部分を保護し、両側部分１４と底面部１１とに粘着テープを巻回してテープ固定部４を設ける。これにより、４つの円孔１７は完全一致する。
【００２６】
上記実施の形態に係るワイヤハーネス１は、プロテクタ１０が、樹脂製の中空板材を所定形状にプレス成形されたプレス成形体およびプレス成形体の組立時に用いる粘着テープが全構成資材であるので、部品点数が少なく、製作コストが安く抑えることができ、被覆電線２の直線状の配索部分を保護する作業が容易かつ短時間に行えて、車体側に設けられたスタッドボルトに強制嵌合状態に係止することができる。
【００２７】
本発明によれば、部品点数が少なく、製作コストが安く、被覆電線の直線状の配索部分を保護する作業が容易かつ短時間に行えて、車体側に設けられたスタッドボルトに強制嵌合状態に係止することができるという効果を有し、プロテクタおよびこれを備えたワイヤハーネス全般に有用である。
【符号の説明】
【００２８】
１  ワイヤハーネス
２  被覆電線
３  コルゲートチューブ
４  テープ固定部
１０  プロテクタ
１１  底面部
１２  側面部
１３  直線状切断線
１４  両側部分
１５  三角筒部分
１６  中央部分
１７  円孔
【図１】
2017131084.tif 000003
【図２】
2017131084.tif 000004
【図３】
2017131084.tif 000005